(57)【要約】  一体のユニットとして互いに固定された複数の細長い金属製ブレードを包含する、剃毛かみそりのためのサブアセンブリ。複数のブレードは、剃毛面を規定する刃先を有し、それぞれの長手方向末端部で、溶接接続部によって互いに固定される。
2007520324.tif 000002
【特許請求の範囲】
【請求項１】
剃毛かみそりのサブアセンブリにおいて、
剃毛面を規定する刃先を有する複数の細長い金属製ブレードを含み、
前記ブレードが、第１及び第２の溶接接続部によって互いに固定されて、一体のユニットを構成し、
前記ブレードが第１及び第２の長手方向末端部を有し、
前記第１の長手方向末端部が、前記第１の溶接接続部によって互いに接続され、
前記第２の長手方向末端部が、前記第２の溶接接続部によって互いに接続され、
前記ブレードが、前記第１及び第２の長手方向末端部のみで固定される、サブアセンブリ。
【請求項２】
前記第１及び第２の長手方向末端部が、前記刃先に向かって曲がり、且つ前記刃先を横断する、請求項１に記載のサブアセンブリ。
【請求項３】
第１の金属製プレート及び第２の金属製プレートを更に含み、
前記第１の長手方向末端部が前記第１の溶接接続部によって前記第１の金属製プレートに接続され、
前記第２の長手方向末端部が前記第２の溶接接続部によって前記第２の金属製プレートに接続される、請求項１又は２に記載のサブアセンブリ。
【請求項４】
一の前記ブレードの前記第１の長手方向末端部のそれぞれが、異なる前記ブレードの少なくとも１つの他の第１の長手方向末端部と重なり、且つ当該他の第１の長手方向末端部に溶接され、
一の前記ブレードの前記第２の長手方向末端部のそれぞれが、異なる前記ブレードの少なくとも１つの他の第２の長手方向末端部と重なり、且つ当該他の第２の長手方向末端部に溶接される、請求項２に記載のサブアセンブリ。
【請求項５】
前記ブレードのそれぞれが、前記刃先を有する細長い切刃部材と、前記細長い切刃部材が取り付けられる細長い支持体とを包含し、
前記支持体のそれぞれが、１つの前記第１の長手方向末端部及び１つの前記第２の長手方向末端部を有する、請求項１に記載のサブアセンブリ。
【請求項６】
前記ブレードのそれぞれが、前記刃先を有する細長い切刃部材部分と、前記切刃部材部分から下向きに曲がった一体の細長い支持体部分とを包含し、
前記細長い支持体部分のそれぞれが、１つの前記第１の長手方向末端部及び１つの前記第２の長手方向末端部を有する、請求項１に記載のサブアセンブリ。
【請求項７】
前記ブレードのそれぞれが、前記刃先と、１つの前記第１の長手方向末端部及び１つの前記第２の長手方向末端部とを有する細長い切刃部材を包含する、請求項１に記載のサブアセンブリ。
【請求項８】
前記第１及び第２のプレートが、ステンレス鋼製の基部と、その上のアルミニウム製の被覆とを有する、請求項３に記載のサブアセンブリ。
【請求項９】
前記複数の細長い金属製ブレードが少なくとも２枚の前記ブレードを包含する、請求項１に記載のサブアセンブリ。
【請求項１０】
前記複数の細長い金属製ブレードが少なくとも３枚の前記ブレードを包含する、請求項１に記載のサブアセンブリ。
【請求項１１】
前記複数の細長い金属製ブレードが少なくとも４枚の前記ブレードを包含する、請求項１に記載のサブアセンブリ。
【請求項１２】
前記複数の細長い金属製ブレードが５枚以上の前記ブレードを包含する、請求項１に記載のサブアセンブリ。
【請求項１３】
前記刃先のすべてが共通の平面内にある、請求項１に記載のサブアセンブリ。
【請求項１４】
前記サブアセンブリが、剃毛かみそりのハウジングに接続するためのスナップ嵌め構造を有する、請求項１に記載のサブアセンブリ。
【請求項１５】
請求項１のサブアセンブリと、前記サブアセンブリが中で固定される凹部を有するハウジングを含む、剃毛かみそり。
【請求項１６】
剃毛かみそりの製造方法において、
刃先と、第１及び第２の長手方向末端部とを有する複数の細長い金属製かみそりブレードを提供し、
剃毛面を規定するように、前記刃先を互いに平行に且つ隣接する刃先から離間して位置決めし、
前記位置決めの間に第１の溶接接続部を溶接することによって、第１の長手方向末端部を互いに接続し、
前記位置決めの間に第２の溶接接続部を溶接することによって、第２の長手方向末端部を互いに接続して、一体のブレードユニットを得ることを含む、剃毛かみそりの製造方法。
【請求項１７】
前記位置決めが、前記ブレードを平行な平面に整列させ、前記刃先を所望の位置に位置決めするために、固定具を用いることを包含する、請求項１６に記載の方法。
【請求項１８】
前記固定具が、前記ブレードを整列させるためのスロットと、前記刃先を位置決めするための停止面とを有する、請求項１７に記載の方法。
【請求項１９】
中に凹部を有するハウジングを提供し、
前記一体のユニットを前記凹部内に位置決めすることを更に含む、請求項１６に記載の方法。
【請求項２０】
前記凹部が頂部に向かって開いており、
前記位置決めが、前記ユニットを前記凹部内に降下させることを伴う、請求項１９に記載の方法。
【請求項２１】
前記ユニットを１対の金属製クリップによって前記ハウジング内で保持することを更に含む、請求項２０に記載の方法。
【請求項２２】
前記ユニットをスナップ嵌め接続によって前記ハウジング内で保持することを更に含む、請求項２０に記載の方法。
【請求項２３】
前記凹部が底部に向かって開いており、
前記位置決めが、前記ユニットを前記凹部内に上昇させることを伴う、請求項１９に記載の方法。
【発明の詳細な説明】
【技術分野】
【０００１】
本発明は、剃毛かみそり、及びそのブレードサブアセンブリ、並びに製造方法に関する。
【背景技術】
【０００２】
剃毛かみそりは、多くの場合、プラスチック製のハウジング内で所望の位置に固定された複数のブレードを包含する。ハウジングは、ブレードの前部にエラストマー材で作成されたフィン又は他の皮膚に接触する構造を有する防護部と、ブレードの後側に皮膚をその上で滑らせることができるキャップとを備えることが多い。剃毛の補助物（例えば、潤滑剤分配機構）を、キャップの中、並びに場合によっては防護部の中に、組み込むことができるブレードは、固定又は可動であることができ、ハウジングは、例えば、剃毛中に皮膚の曲線に追随する助けと
なるようさつに、ハンドルに固定するか、ハンドルに可動に取り付けることができる。
【０００３】
いくつかの異なるタイプの剃毛かみそりの例が、米国特許第５，３１３，７０６号、第５，３６９，８８５号、第５，４１６，９７４号、第５，５４６，６６０号、第６，０３２，３７２号、第６，１４５，２０１号、第６，１６１，２８８号、第６，２１６，３４５号、第６，２１６，５６１号、及び第６，３９７，４７３号に記載されている。
【発明の開示】
【課題を解決するための手段】
【０００４】
一態様では、本発明は、一般に、一体のユニットとして互いに固定された複数の細長い金属製ブレードを包含する、剃毛かみそりのためのサブアセンブリを扱う。複数のブレードは、剃毛面を規定する刃先を有し、そのそれぞれの長手方向末端部で溶接接続部によって互いに固定される。
【０００５】
本発明の特定の実施形態は、１以上の次の特徴を包含してもよい。特定の実施形態では、ブレードの長手方向末端部は、刃先に向かって曲がり、且つその刃先を横断する。いくつかの実施形態では、ユニットは２つの金属製プレートを包含し、１組の長手方向末端部は、第１の溶接接続部によって第１の金属製プレートに接続され、他方の組の長手方向末端部は、第２の溶接接続部によって第２の金属製プレートに接続される。プレートは、ステンレス鋼製の基部と、その上のアルミニウム製の被覆とを有することができる。いくつかの他の実施形態では、ブレードの１組の長手方向末端部は、ユニットの１つの側部で隣接する末端部に重なり、且つ当該ユニットの１つの側部で隣接する末端部に溶接され、ブレードの他の１組の長手方向末端部は、ユニットの他方の側部で隣接する末端部に重なり、且つ当該ユニットの他方の側部で隣接する末端部溶接される。いくつかの実施形態では、各ブレードは、刃先を有する細長い切刃部材と、細長い切刃部材が取り付けられる細長い支持体とを包含し、細長い支持体の長手方向末端部は、２つの側部で互いに溶接される。いくつかの他の実施形態では、各ブレードは、刃先を有する細長い切刃部材部分と、切刃部材部分から下向きに曲がった一体の細長い支持体部分とを包含し、細長い支持体部分の長手方向縁部は、２つの側部で互いに溶接される。更に他の実施形態では、各ブレードは、刃先を有する細長い切刃部材を包含し、細長い切刃部材の長手方向末端部は、２つの側部で互いに溶接される。サブアセンブリは、２枚のブレード、３枚のブレード、４枚のブレード、又は５枚以上のブレードを有することができる。刃先は、共通の平面内に配置されることができる。サブアセンブリは、剃毛かみそりのハウジングに接続するためのスナップ嵌め構造を有することができる。
【０００６】
別の態様では、本発明は、一般に、上述したようなサブアセンブリと、前記サブアセンブリが中で固定される凹部を有するハウジングとを包含する剃毛かみそりを扱う。
【０００７】
別の態様では、本発明は、一般に、刃先と、第１及び第２の長手方向末端部とを有する複数の細長い金属製かみそりブレードを提供し、剃毛面を規定するように、刃先を互いに平行に且つ隣接する刃先から離間するように位置決めし、刃先を互いに平行に維持しながら、第１の長手方向末端部を互いに、また第２の長手方向末端部を互いに溶接することによって接続することを包含する、剃毛かみそりの製造方法を扱う。
【０００８】
本発明の特定の実施形態は、１以上の次の特徴を包含してもよい。特定の実施形態では、ブレードを平行な平面に整列させ、刃先を所望の位置に位置決めするために、固定具を用いる。固定具は、ブレードを整列させるためのスロットと、刃先を位置決めするための停止面とを有する。ブレードの一体のユニットは、ハウジングの凹部内に位置決めされる。凹部は頂部に向かって開いて、例えば、一体のブレードユニットが凹部内に降下させられて、クリップ又はスナップ嵌めによって適所に保持されることができ、あるいは、凹部は底部に向かって開いて、一体のブレードユニットが凹部内に上昇させられることができる。
【０００９】
本発明の実施形態は、１以上の次の利点を包含してもよい。かみそりブレードカートリッジの自動組立ては、すべてのブレードを１つのユニットとして１工程で設置することにより、簡略化することができる。互いに対する刃先の幾何学形状は、組み立てる前に、例えば固定具によって、厳重に制御して、且つ所望であれば様々に、設定することができる。ブレードのサブアセンブリは、取外し可能にハウジング内に嵌め込み、ブレードが消耗すれば、新しいサブアセンブリと交換することによって、廃棄する部品を減少させ、より多くの部品を再使用することができる。また、一体のブレードユニットサブアセンブリは、例えば、異なるブレードの接角、露出、及び／又は間隔といった、様々に異なるブレードの幾何学形状で製造することができ、異なるサブアセンブリはすべて、それらが挿入されるカートリッジの残部に対して共通の設計で使用して、部品の総数を簡略化し、同時に様々に異なる幾何学形状を容易に提供できるように細工することができる。
【発明を実施するための最良の形態】
【００１０】
本発明の他の利点及び特徴は、本発明の特定の実施形態の以下の説明及び特許請求の範囲から明らかになるであろう。
【００１１】
図１を参照すると、剃毛かみそり１０は、プラスチック製ハウジング１２、ハウジング１２内に固定されたブレード１４、キャップ１６（潤滑性ストリップを包含する）、ハンドル１８、接続片１９（枢動可能にハウジング１２に、且つ取外し可能にハンドル１８に接続されている）、及びフィン２２を有するエラストマー材製の防護部２０を包含する。剃毛面を規定する刃先２８（図７を参照）を有する５枚のブレード１４が存在する。図２から明らかなように、ブレード１４は、ハウジング１２内の凹部２１に上から嵌め込まれる一体のブレードサブアセンブリ１３として提供され、２つのクリップ２３（１つのみが図２に示される）で適所に保持される。
【００１２】
図３〜８を参照すると、ブレードサブアセンブリ１３は、５枚のブレード１４及び２つの側部プレート２４を包含する。プレート２４は、ステンレス鋼製の基部と、耐食性のためにその上のアルミニウム製の被覆とを有する。しかしながら、耐食性は、アルミニウム製クリップ又は別個の亜鉛構成要素などの犠牲アノードとして働く別個のカートリッジ構成要素と接触させるなど、他の手段及び材料によって達成することができる。
【００１３】
各ブレード１４は、刃先２８を有する細長い切刃部材２６と、切刃部材２６がスポット溶接３２で取り付けられる細長い支持体３０とを包含する。細長い支持体３０は、その長さに沿って、短い上側部分３４と長い基部３６とを有する角度を付けた部分を有する。基部部分３６の長手方向縁部３８は９０°曲げられ、スポット溶接４０によって側部プレート２４に固定される。
【００１４】
あるいは、細長い切刃部材は、例えば図１２の一体型の複合部材３９に関して示すように、刃先部分及び一体の曲がった基部を有する一体型の構成であることができ、又は、例えば図１３の一体型の単純な切刃部材４１に関して示すように、曲がった基部を有さないことさえできる。
【００１５】
図９を参照すると、ブレードがスポット溶接４０によって側部プレート２４に固定される一方で、ブレード１４を位置決めするために固定具４２を用いる。固定具４２は、ブレード１４の細長い支持体３０の基部部分３６を受け入れるスロット４６を包含する、基部部材４４を有する。気泡体４６は、基部部分３６の底部に上向きの力を提供して、切刃部材２６が整列ブロック５０の傾斜面４８に突き当たり、且つ刃先２８が角部５２と接触するようにし、それによって、刃先２８を所望の位置に配置して剃毛面を規定し、切刃部材２６に対するブレードの所望の接角を提供する。ブレード１４がスロット４６内で適切に位置決めされ、表面４８及び角部５２に対して上向きに付勢されると共に、側部プレート２４は、曲がった長手方向末端部３８に溶接されて、一体のブレードサブアセンブリ３０となり、次に、単に凹部２１に挿入され、ハウジング１２内の所定の位置に移動され、クリップ２３（図１、２）によってその中で固定される。あるいは、ブレードはまた、底部から開いている凹部２１を有するカートリッジハウジング内に、後部から嵌め込むこともできる。また、所望であれば、整列ブロック５０は、整列ブロック５０の傾斜面４８及び角部５２の位置を異ならせることによって、異なるブレードが、異なるブレード接角、露出、及び／又は間隔を有するようにすることができる。
【００１６】
図１０を参照すると、代替ブレードアセンブリ６０（最後のブレード６２を取り付ける前の状態を示す）は、側部プレート２４を有さないが、代わりに、長手方向縁部６６に、前のブレード６２の部分６８と重なり、且つ溶接７０によって当該前のブレード６２の部分６８に溶接されるオフセット延長部６４を有するという点で、ブレードアセンブリ３０と異なる。
【００１７】
図１１を参照すると、代替ブレードアセンブリ７６は、ハウジング１２内にスナップ嵌めされ、クリップ２３を必要とせずにハウジング１２内で保持される、傾斜した側部プレート７８を有する。ブレードを交換する必要がある場合、カートリッジ全体（ハウジング１２及び接続片１９、並びにブレードを包含する）を交換する代わりに、使用済みのサブアセンブリ７６を底部から押し出し、新しいサブアセンブリ７６を単に嵌め込むことで、ハウジング１２及び接続片１９を複数回使用することが可能になる。あるいは、側部プレート７８を、ハウジング内のガイド溝（図示せず）に滑動可能に取り付けて、ブレードがカートリッジ内で浮き、上下に滑動できるようにすることができる。
【００１８】
本発明の他の実施形態は、添付の特許請求の範囲内にある。例えば、他の技術（エラストマー材、磁気、ソレノイド、及びばねなど）を、気泡体４６の代わりに使用して、ブレード１４を適切な位置に付勢することができる。他の構造又は形状を、傾斜面４８及び角部５２の代わりに使用して、ブレードを整列させることができる。楕円形のスポット及び二重スポットを、円形のスポット溶接４０及び７０の代わりに使用することができる。
【００１９】
ブレードはあらゆる数（例えば、２、３、４、５、６、７など）であることができる。２枚のブレードサブアセンブリ８０、３枚のブレードサブアセンブリ８２、及び４枚のブレードサブアセンブリ８４を、図１４〜１６にそれぞれ示す。また、カートリッジ及びハンドルは、使い捨てかみそりなど、一体の部品であってもよい。
【図面の簡単な説明】
【００２０】
【図１】剃毛かみそりの部分斜視図。
【図２】図１の剃毛かみそりの拡大部分斜視図。
【図３】図１の剃毛かみそりのブレードサブアセンブリの斜視図。
【図４】図３のブレードサブアセンブリの平面図。
【図５】図３のブレードサブアセンブリの前面図。
【図６】図３のブレードサブアセンブリの側面図。
【図７】図３のブレードサブアセンブリのブレードの斜視図。
【図８】図３のブレードサブアセンブリのブレード及び側部プレートの構成要素を示す平面図。
【図９】図３のブレードアセンブリの製造に使用される固定具の図解的側面図。
【図１０】側部プレートを有さないブレードアセンブリの代替実施形態の図解的部分拡大図。
【図１１】交換可能なブレードサブアセンブリの代替実施形態の正面図。
【図１２】代替の一体型ブレード構成の斜視図。
【図１３】代替の一体型ブレード構成の斜視図。
【図１４】図１の剃毛かみそりに使用するための、２枚、３枚、及び４枚ブレードの代替サブアセンブリの斜視図。
【図１５】図１の剃毛かみそりに使用するための、２枚、３枚、及び４枚ブレードの代替サブアセンブリの斜視図。
【図１６】図１の剃毛かみそりに使用するための、２枚、３枚、及び４枚ブレードの代替サブアセンブリの斜視図。
【符号の説明】
【００２１】
１０  剃毛かみそり
１２  プラスチック製のハウジング
１３  一体のブレードサブアセンブリ
１４  ブレード
１６  キャップ
１８  ハンドル
１９  接続片
２０  エラストマー材製の防護部
２１  凹部
２２  フィン
２３  クリップ
２４  側部プレート
２６  切刃部材
２８  刃先
３０  細長い支持体
３２  スポット溶接
３４  短い上側部分
３６  長い基部
３８  長手方向末端部
３９  一体型の複合切刃部材
４０  スポット溶接
４１  一体型の単純な切刃部材
４２  固定具
４４  基部部材
４６  スロット
４８  傾斜面
５０  整列ブロック
５２  角部
６０  代替ブレードアセンブリ
６２  最後のブレード
６４  オフセット延長部
６６  長手方向末端部
６８  前のブレードの部分
７０  溶接
７６  代替ブレードアセンブリ
７８  傾斜した側部プレート
８０  ２枚のブレードサブアセンブリ
８２  ３枚のブレードサブアセンブリ
８４  ４枚のブレードサブアセンブリ
【図１】
2007520324.tif 000003
【図２】
2007520324.tif 000004
【図３】
2007520324.tif 000005
【図４】
2007520324.tif 000006
【図５】
2007520324.tif 000007
【図６】
2007520324.tif 000008
【図７】
2007520324.tif 000009
【図８】
2007520324.tif 000010
【図９】
2007520324.tif 000011
【図１０】
2007520324.tif 000012
【図１１】
2007520324.tif 000013
【図１２】
2007520324.tif 000014
【図１３】
2007520324.tif 000015
【図１４】
2007520324.tif 000016
【図１５】
2007520324.tif 000017
【図１６】
2007520324.tif 000018
【国際調査報告】
2007520324.tif 000019
2007520324.tif 000020